(57)【要約】      （修正有）【課題】乳幼児による誤飲事故の発生を抑制できるプレススルーパッケージ（ＰＴＰ）を提供する。【解決手段】ＰＴＰ１は、被包装物５が収容される複数のポケット部２１と、複数のポケット部の周囲に配置されたカラー部２２とを備えたシート状容器２と、シート状容器上に配置され、複数のポケット部２１の開口を覆う蓋材と、シート状容器と蓋材との間に介在し、両者を接着するシール層とを有している。ポケット部２１からカラー部２２の外周端縁２２１までの距離Ｄは２０ｍｍ以上である。【選択図】図１
0003210345.tif 000002
【実用新案登録請求の範囲】
【請求項１】
被包装物が収容される複数のポケット部と、上記複数のポケット部の周囲に配置されたカラー部とを備えたシート状容器と、
上記シート状容器上に配置され、上記複数のポケット部の開口を覆う蓋材と、
上記シート状容器と上記蓋材との間に介在し、両者を接着するシール層とを有し、
上記ポケット部から上記カラー部の外周端縁までの距離が２０ｍｍ以上である、プレススルーパッケージ。
【考案の詳細な説明】
【技術分野】
【０００１】
本考案は、プレススルーパッケージに関する。
【背景技術】
【０００２】
医薬品の錠剤やカプセル等の包装容器として、プレススルーパッケージ（以下、「ＰＴＰ」と省略する。）が多用されている。ＰＴＰは、被包装物が収容される複数のポケット部を備えたシート状容器と、このシート状容器に接着され、ポケット部の開口面を覆う蓋材とを有している。
【０００３】
ＰＴＰでは、ポケット部を押し込み、蓋材を破断させつつ錠剤等を押し出すという簡便な作業により、ポケット部内に収容された錠剤等を取り出すことができる。しかし、ポケット部から錠剤等を取り出しやすくすると、乳児や幼児が誤ってポケット部から錠剤等を取り出し、誤飲事故の発生を招くおそれがある。
【０００４】
このような問題の発生を回避するため、ＰＴＰには、ポケット部からの錠剤等の取り出しをあえて難しくすることにより乳児や幼児が錠剤等を取り出しにくくする、チャイルドレジスタンスと呼ばれる機能が付与されることがある。この種のＰＴＰとして、例えば特許文献１には、アルミニウム箔と保護シートとが積層された蓋材シートを有するＰＴＰが記載されている。
【先行技術文献】
【特許文献】
【０００５】
【特許文献１】特開２００５−１７０４６４号公報
【考案の概要】
【考案が解決しようとする課題】
【０００６】
乳幼児による誤飲事故についての近年の調査により、誤飲事故のうち大部分が乳幼児の中でも比較的年齢の低い２歳以下の児によるものであることが明らかになった。これらの児による誤飲事故の態様は、ポケット部を手で押し込むことにより錠剤等が取り出される態様に加えて、ＰＴＰ自体を口に含み、しゃぶっている間等に錠剤等が押し出される態様があるものと推測される。
【０００７】
特許文献１のようにアルミニウム箔と保護シートとの積層体を蓋材とする場合には、保護シートを有さない場合に比べて蓋材が破断しにくくなる。しかし、上述したようにＰＴＰを口に含む態様の誤飲事故では、ポケット部を手で押し込む態様に比べてポケット部に大きな力が加わるため、蓋材を破断させにくくしても誤飲事故を抑制することが難しい。
【０００８】
一方、ＰＴＰにおいては、通常の使用の際に、ポケット部を手で押し込んで被包装物を取り出す必要がある。蓋材を破断させにくくすると、通常の使用の際にポケット部から被包装物を押し出すことが困難になるため、蓋材を破断しにくくすることには限界がある。
【０００９】
本考案は、かかる背景に鑑みてなされたもので、乳幼児による誤飲事故の発生を抑制できるプレススルーパッケージを提供しようとするものである。
【課題を解決するための手段】
【００１０】
本考案の一態様は、被包装物が収容される複数のポケット部と、上記複数のポケット部の周囲に配置されたカラー部とを備えたシート状容器と、
上記シート状容器上に配置され、上記複数のポケット部の開口を覆う蓋材と、
上記シート状容器と上記蓋材との間に介在し、両者を接着するシール層とを有し、
上記ポケット部から上記カラー部の外周端縁までの距離が２０ｍｍ以上である、プレススルーパッケージにある。
【考案の効果】
【００１１】
上記ＰＴＰは、ポケット部からカラー部の外周端縁までの距離が２０ｍｍ以上であるシート状容器を有している。このように、ポケット部からカラー部の外周端縁までの距離を十分に大きくすることにより、乳幼児がＰＴＰを口に含んだ際に、ポケット部が口内に入らないようにすることができる。その結果、乳幼児による誤飲事故の発生を抑制することができる。
【図面の簡単な説明】
【００１２】
【図１】実施例における、プレススルーパッケージの平面図である。
【図２】図１のII−II線一部矢視断面図である。
【図３】図２における、シール層近傍の拡大図である。
【考案を実施するための形態】
【００１３】
上記ＰＴＰにおいて、シート状容器としては、ＰＴＰ用として公知のものを採用することができる。具体的には、ポリ塩化ビニル、ポリ塩化ビニリデン、ポリプロピレン、非晶性ポリエチレンテレフタレート等の熱可塑性樹脂からなる厚み６０〜４００μｍのシート材をシート状容器に採用することができる。
【００１４】
シート状容器には、周囲よりも陥没している複数のポケット部が設けられている。ポケット部は、平面視において、医薬品の錠剤やカプセル等の被収容物の形状に合致する形状を有している。
【００１５】
複数のポケット部の周囲には、カラー部が配置されている。ポケット部からカラー部の外周端縁までの距離は２０ｍｍ以上である。この距離を２０ｍｍ以上とすることにより、乳幼児がＰＴＰを口に含んだ際に、ポケット部が口内に入らないようにすることができる。
【００１６】
ポケット部が口内に入らないようにする観点からは、ポケット部からカラー部の外周端縁までの距離に上限はない。しかし、この距離が過度に大きくなると、ＰＴＰに収容可能な被収容物の数に対してＰＴＰが大型化し、使用者にとっての扱いやすさが悪化するおそれがある。
【００１７】
このような問題を回避しつつ、カラー部による誤飲事故の抑制効果を奏するためには、ＰＴＰの外形が、一辺２００ｍｍ以下の正方形状領域内に収まっていることが好ましく、一辺１８０ｍｍ以下の正方形状領域内に収まっていることがより好ましく、一辺１３０ｍｍ以下の正方形状領域内に収まっていることが更に好ましい。即ち、例えばＰＴＰが長方形状を呈する場合には、ＰＴＰの長手方向における外形寸法が２００ｍｍ以下であることが好ましく、１８０ｍｍ以下であることがより好ましく、１３０ｍｍ以下であることがさらに好ましい。また、ＰＴＰが正方形状を呈する場合には、いずれか一辺に平行な方向における外形寸法が２００ｍｍ以下であることが好ましく、１８０ｍｍ以下であることがより好ましく、１３０ｍｍ以下であることがさらに好ましい。
【００１８】
シート状容器には、シール層を介して蓋材が接着されている。蓋材の外表面、即ちシール層に接着された面と反対側の面には、白着色層、着色層、文字印刷層、柄印刷層等の、被包装物に関する情報を表示する層や、アンカーコート層、オーバーコート層等の、上述した白着色層等を保護する層が設けられていてもよい。
【００１９】
蓋材としては、例えば、アルミニウム箔を採用することができる。より具体的には、例えば、１０００系アルミニウム、３０００系アルミニウム合金、８０００系アルミニウム合金からなる厚み１０〜３０μｍのアルミニウム箔を蓋材とすることができる。また、上記アルミニウム箔は、硬質材であってもよく、軟質材であってもよい。
【００２０】
また、蓋材は、上記シール層上に積層されたアルミニウム箔と、樹脂からなり、上記アルミニウム箔上に設けられた支持フィルムとを有していてもよい。この場合には、支持フィルムを有さない場合に比べて蓋材の突刺し強さをより強くすることができる。それ故、乳幼児がポケット部を手で押し込み、誤ってポケット部から被包装物を取り出す態様の誤飲事故を抑制することができる。
【００２１】
支持フィルムとしては、例えば、ポリエチレンテレフタレート、ポリエチレンナフタレート、ナイロン、ポリカーボネート等の、比較的耐熱性の高い樹脂からなる厚み２〜１６μｍのフィルムを採用することができる。支持フィルムとアルミニウム箔とを接着する方法としては、例えば、ドライラミネート法やウェットラミネート法等の公知の接着方法を採用することができる。
【実施例】
【００２２】
上記ＰＴＰの実施例を、図を用いて説明する。図１及び図２に示すように、ＰＴＰ１は、被包装物５が収容される複数のポケット部２１と、複数のポケット部の周囲に配置されたカラー部２２とを備えたシート状容器２と、シート状容器２上に配置され、複数のポケット部２１の開口２１１を覆う蓋材４と、シート状容器２と蓋材４との間に介在し、両者を接着するシール層３とを有している。ポケット部２１からカラー部２２の外周端縁２２１までの距離Ｄは２０ｍｍ以上である。
【００２３】
図１に示すように、本例のＰＴＰ１は、その積層方向から視た平面視において、略長方形状を呈している。ＰＴＰ１は、一般的なＰＴＰと同様に、ポケット部２１を押し込むことにより、蓋材４を破断させつつ被包装物５をポケット部２１から押し出すことができるように構成されている。ＰＴＰ１の、長手方向、即ち長辺と平行な方向における外寸法は２００ｍｍであり、幅方向、即ち短辺と平行な方向における外寸法は８０ｍｍである。
【００２４】
本例のシート状容器２は、ポリ塩化ビニルから構成されており、２５０μｍの厚みを有している。図２に示すように、シート状容器２は、シール層３を介して蓋材４に接着されている。
【００２５】
図１に示すように、シート状容器２の中央部には、ＰＴＰ１の積層方向から視た平面視において円形を呈する複数のポケット部２１が配置されている。本例のポケット部２１は、平面視において長方形状を呈する領域の内側に、縦２列、横５段に配列されている。
【００２６】
ポケット部２１の周囲はカラー部２２に取り囲まれている。図１及び図２に示すように、カラー部２２の外周端縁２２１とポケット部２１との距離Ｄは、２０ｍｍ以上である。即ち、各ポケット２１の端縁２１２は、カラー部２２の外周端縁２２１から２０ｍｍ以上離れた位置に配置されており、カラー部２２の外周端縁２２１から２０ｍｍ未満の範囲内にはポケット部２１が存在していない。
【００２７】
本例の蓋材４は、１Ｎ３０の硬質材からなる厚み２０μｍのアルミニウム箔４１である。図３に示すように、アルミニウム箔４１のマット面４１１は、シール層３に接着されている。また、アルミニウム箔４１のブライト面４１２には、インキ層４２及びオーバーコート層４３が順次積層されている。なお、便宜上、図２へのインキ層４２及びオーバーコート層４３の記載は省略した。
【００２８】
インキ層４２は、具体的には、白着色層、着色層、文字印刷層、柄印刷層等の、被包装物５に関する情報の表示のための層として構成することができる。また、必要に応じてインキの塗布と乾燥とを繰り返すことにより、インキ層４２を多層構造としてもよい。
【００２９】
インキ層４２に用いるインキとしては、塩化ビニル系樹脂、酢酸ビニル系樹脂、ポリオレフィン系樹脂、硝化綿系樹脂、ポリアミド系樹脂、塩化ゴム系樹脂、アクリルメラミン系樹脂、エポキシメラミン系樹脂、ウレタン系樹脂等の樹脂を含むインキを採用することができる。本例のインキ層４２は、塩化ビニル−酢酸ビニル共重合系樹脂を含むインキから構成されている。
【００３０】
オーバーコート層４３は、具体的には、インキ層４２、即ち白着色層等の、被包装物５に関する情報の表示のための層を保護する機能を有する。オーバーコート層４３を構成するコート剤としては、硝化綿系コート剤、エポキシ系コート剤、アクリル系コート剤等の、比較的耐熱性の高いコート剤を使用することができる。本例のオーバーコート層４３は、硝化綿メラミンブチラール樹脂を含むコート剤から構成されている。
【００３１】
本例のＰＴＰ１は、ポケット部２１からカラー部２２の外周端縁２２１までの距離Ｄが２０ｍｍ以上であるシート状容器２を有している。このように、ポケット部２１からカラー部２２の外周端縁２２１までの距離Ｄを十分に大きくすることにより、乳幼児がＰＴＰ１を口に含んだ際に、ポケット部２１が口内に入らないようにすることができる。その結果、乳幼児による誤飲事故の発生を抑制することができる。
【符号の説明】
【００３２】
１  プレススルーパッケージ
２  シート状容器
２１  ポケット部
２１１  開口
２２  カラー部
２２１  外周端縁
３  シール層
４  蓋材
Ｄ  距離
【図１】
0003210345.tif 000003
【図２】
0003210345.tif 000004
【図３】
0003210345.tif 000005